(57)【特許請求の範囲】
【請求項１】
電子機器を保持可能な保持部と、
前記保持部を支持する基部と、を有し、
前記保持部は、前記基部に対して軸の周りに回転可能であり、
前記保持部と前記基部とはそれぞれ歯部を有し、所定の回転位置で嵌合可能であり、
前記保持部は、前記保持部の歯部を前記基部の歯部と嵌合する嵌合方向へ押す押え部材を備え、
前記押え部材と前記保持部の歯部との当接面は、前記嵌合方向と垂直な方向に対して傾斜しており、
前記押え部材と前記保持部の歯部とは、前記押え部材により前記保持部の歯部と前記基部の歯部とが嵌合した嵌合状態において、オーバーラップするように設けられており、
前記押え部材と前記保持部の歯部とを前記嵌合状態にすると、前記押え部材は、前記当接面に沿って前記嵌合方向と交差する方向へ移動する、
電子機器保持スタンド。
【請求項２】
請求項１において、
前記保持部の歯部は、前記嵌合方向に移動する際に、先端よりも前に側面を前記基部の歯部に当接する形状である、電子機器保持スタンド。
【請求項３】
請求項１または２において、
前記保持部は、前記保持部に回転力を与える弾性体の部材を前記基部との間に備える、電子機器保持スタンド。
【発明の詳細な説明】
【技術分野】
【０００１】
本発明は、電子機器用の保持スタンドに関し、特に、保持した電子機器を狭いスペースで回転でき、かつ、ガタつきなく確実に固定することのできる電子機器保持スタンドに関する。
【背景技術】
【０００２】
近年、タブレット型端末、スマートフォンなどモバイル型の電子機器が普及している。これらの電子機器は、手に持って使用されるほか、机の上などに固定されて使用される場合もある。そのため、電子機器を立て掛けるためのスタンドなどが開発されている。
【０００３】
電子機器をスタンドなどに固定して使用する場合に、電子機器の向きを変えたいという要望もあり、このような電子機器を保持するためのスタンドには電子機器を回転させる機能を備えることが望まれる。
【０００４】
かかる電子機器保持スタンドとして、従来、スタンドの設置面に垂直な軸の周りに電子機器を回転させるもの、電子機器を任意の角度で保持するために回転軸にトルクコンバーターを用いたものなどがある。
【０００５】
関連技術として、下記特許文献１には、画像表示装置用のスタンドが開示されている。
【先行技術文献】
【特許文献】
【０００６】
【特許文献１】特開２０１１−１３９５８９号公報
【発明の概要】
【発明が解決しようとする課題】
【０００７】
上述した電子機器保持スタンドは、タブレット型端末を店舗等における料金精算に用いる場合にも必要とされ、この場合には、カスタマーの承認等を受けるためにタブレット端末に対するカスタマーの操作を容易に行える機能を備えることが望まれる。すなわち、このような用途の場合、電子機器保持スタンドには、保持したタブレット型端末の向きをオペレーター側とカスタマー側の間で素早く切り換え可能であること、当該向きの切り換えが多数回行われるので力をかけずにタブレット端末を回転できること、タブレット端末に対する操作がしやすいように所定の向きで確実に固定されること、及び、上記向きの切り換えにスペースを取らないことなどが望まれる。
【０００８】
従来の電子機器保持スタンドには、これらの要望を満たすものはない。
【０００９】
更に、タブレット型端末等を電子機器保持スタンドに固定した状態で、タブレット型端末等の表示画面に対して操作を行った際に、ガタつかないように固定されることが望まれる。
【００１０】
そこで、本発明の目的は、電子機器用の保持スタンドであって、保持した電子機器を狭いスペースで回転でき、かつ、ガタつきなく確実に固定することのできる電子機器保持スタンド、等を提供することである。
【課題を解決するための手段】
【００１１】
上記の目的を達成するために、本発明の一つの側面は、電子機器保持スタンドが、電子機器を保持する保持部と、前記保持部を支持する基部と、を有し、前記保持部は、前記基部が設置される面に平行な軸の周りに、前記保持部を回動させる回転装置を備え、前記回転装置は、所定の回転位置で、保持部側歯部と基部側歯部を嵌合させて前記保持部を固定し、当該固定状態において前記保持部側歯部と前記基部側歯部を当接させる機構を備える、ことである。
【００１２】
当該側面により、電子機器を保持した保持部が所定の回転角度で固定されている状態で、嵌合する歯部同士を必ず当接させることができるので、電子機器に対する操作時のガタつきを抑えることができる。
【００１３】
更に、上記発明において、その好ましい一つの態様は、前記回転装置は、前記保持部側歯部を、前記基部側歯部と嵌合する際に移動する方向である嵌合方向へ押圧する押え部材を備え、当該押え部材と前記保持部側歯部との当接面が、前記嵌合方向に垂直な方向に対して角度を有する、ことを特徴とする。
【００１４】
当該態様により、保持部側歯部を基部側歯部との嵌合方向へ十分に押し込める構成となり、嵌合する歯部同士を必ず当接させることができる。
【００１５】
更に、上記発明において、好ましい一つの態様は、前記保持部側歯部は、前記嵌合方向に移動する際に、前記保持部側歯部の先端よりも前に前記保持部側歯部の側面が前記基部側歯部に当接する形状である、ことを特徴とする。
【００１６】
当該態様により、嵌合する歯部の側面同士を必ず当接させることができ、電子機器への操作時のガタつきを確実に防ぐことができる。
【００１７】
また、上記発明において、好ましい一つの態様は、前記保持部は、前記固定状態で圧縮されて前記保持部に回転力を与える弾性体の部材を、前記基部との間に備える、ことを特徴とする。
【００１８】
当該態様により、嵌合する歯部の側面同士を必ず当接させることができ、上記ガタつきを確実に防ぐことができる。
【００１９】
本発明の更なる目的及び、特徴は、以下に説明する発明の実施の形態から明らかになる。
【図面の簡単な説明】
【００２０】
【図１】本発明を適用した電子機器保持スタンドの実施の形態例に係る斜視図である。
【図２】本電子機器保持スタンド１の使用例を示した図である。
【図３】本電子機器保持スタンド１の電子機器４を保持していない状態での斜視図である。
【図４】回転機構２００を例示する斜視図である。
【図５】回転機構２００の断面図である。
【図６】第１の位置で固定された保持部２の側面図である。
【図７】第１の位置で固定された保持部２の断面図である。
【図８】第１の位置で回転用レバー２０１が操作された状態の保持部２の断面図である。
【図９】第２の位置で固定された保持部２の側面図である。
【図１０】第２の位置で固定された保持部２の断面図である。
【図１１】第３の位置で固定された保持部２の側面図である。
【図１２】第３の位置で固定された保持部２の断面図である。
【図１３】第３の位置から第４の位置へ移動中の保持部２の断面図である。
【図１４】第４の位置で固定された保持部２の側面図である。
【図１５】第４の位置で固定された保持部２の断面図である。
【図１６】本発明を適用した電子機器保持スタンドの第２の実施の形態例に係る斜視図である。
【図１７】本電子機器保持スタンド１Ａの電子機器４Ａを保持していない状態での斜視図である。
【図１８】本電子機器保持スタンド１Ａの電子機器４Ａを保持していない状態での斜視図である。
【図１９】保持部側歯部２０３と基部側歯部２０４との公差を例示した図である。
【図２０】本電子機器保持スタンド１Ａの側面断面図である。
【図２１】レバー側押え部材２０５Ａと保持部側歯部２０３Ａの当接部を示した図である。
【図２２】保持部側歯部２０３Ａを押し込んだ状態を例示した図である。
【図２３】弾性部材２４０Ａを説明するための図である。
【図２４】弾性部材２４０Ａを説明するための図である。
【図２５】本電子機器保持スタンド１Ａの側面断面図である。
【図２６】図２５のＺで示す部分の拡大図である。
【図２７】保持部側歯部２０３Ｂと基部側歯部２０４Ｂの当接部を示す図である。
【発明を実施するための形態】
【００２１】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２２】
［第１の実施の形態例］
図１は、本発明を適用した電子機器保持スタンドの第１の実施の形態例に係る斜視図である。図１に示す本実施の形態例に係る電子機器保持スタンド１は、電子機器４を保持する保持部２と保持部２を支持する基部３を有し、保持部２が電子機器保持スタンド１（基部３）の設置面に水平（平行）な軸の周りに無負荷で回転でき、所定の複数の回転位置で歯部の嵌合により固定できる回転機構２００を備える。これにより、保持した電子機器４を狭いスペースで、力をかけずに回転でき、かつ、確実に固定することができる。
【００２３】
図２は、本電子機器保持スタンド１の使用例を示した図である。図２に示す例は、タブレット端末である電子機器４を店舗等での料金精算に用いる場合であり、専用のレジシステムを導入することなく、汎用のタブレット端末を用いて簡易にレジシステムを構築する例である。当該レジシステムは、タブレット端末（電子機器４）、それを保持する本実施の形態例に係る電子機器保持スタンド１、レシートやクーポンを印刷するプリンター５等で構成される。図示していないが、更に、カードリーダー（スキャナー）などの入力装置が備えられていてもよい。また、レジシステムは、例えば図２に示されるように、設置ラック６の上に配置され、電源につながれる元電源コード８、ＡＣアダプター７を介して電力が供給される。（図２では、ＡＣアダプター７以降の電源コードは図示していない。）
【００２４】
電子機器４は、従前のタブレット型端末（コンピューター）であり、表示画面４ａに接触することによって各操作をすることができる。電子機器４には、レジ用のアプリケーション（精算用のアプリケーション）がインストールされており（備えられており）、オペレーターは当該アプリケーションを起動して精算処理を実行する。
【００２５】
電子機器保持スタンド１は、当該電子機器４を保持する、いわゆるスタンド（モノを支える台、器具、装置）であり、図２に示されるような状態で電子機器４を保持する。電子機器保持スタンド１は、後述する回転機構２００により、電子機器４を回転させて保持（固定）することができ、精算処理の際にカスタマーによる承認等の操作が必要な際には、電子機器４の表示画面４ａをカスタマー側（図２において、電子機器４の背面側）に向けることができる。
【００２６】
プリンター５は、電子機器４（レジ用のアプリケーション）からの指示により精算処理に関するレシート等を印刷する印刷装置である。
【００２７】
図３は、本電子機器保持スタンド１の電子機器４を保持していない状態での斜視図である。電子機器保持スタンド１は、電子機器４を所定の向きて固定して保持する保持部２と、保持部２を支持する基部３とを備える。
【００２８】
保持部２は、電子機器４を支持する保持板２３５のほか、電子機器４を回転させるための回転機構２００、電子機器４を固定するためのスライダー、下側アーム、緩衝材等、及び、電子機器４へ電力を供給するケーブル用の貫通孔等、を備える。
【００２９】
基部３は、電子機器保持スタンド１の台座部分であり、その底面が電子機器保持スタンド１の設置面に置かれる。また、基部３は、後述するが、その内部の空間に分電部を備え、分電部からの電源ケーブルが上述したケーブル用貫通孔を通って電子機器４に案内される。
【００３０】
このような構成の本電子機器保持スタンド１では、回転機構２００に特徴があり、以下、これらの各機構について説明する。
【００３１】
本電子機器保持スタンド１の回転機構２００は、保持した電子機器４を電子機器保持スタンド１の設置面に水平な軸の周りに回転させる機構であり、操作者が電子機器４を回転させる際には、概ね無負荷な状態で回動させることができ、また、所定の複数の回転角度（回転位置）で固定することができる。
【００３２】
図４は、回転機構２００を例示する斜視図である。図４に示すシャフト２０２は、保持部２の回転軸であり、上述した電子機器保持スタンド１の設置面に水平な軸に沿って設けられる。シャフト２０２は、基部３に固定された２つの支持部２１０で支えられる。また、それらの支持位置には、それぞれ、軸受２１１が設けられており、概ね負荷がかからずにシャフト２０２が回転できる。
【００３３】
シャフト２０２には、保持部側歯部２０３がシャフト２０２に対して回転不可に取り付けられる。また、基部３には、基部側歯部２０４が基部３に固定されて取り付けられる。保持部側歯部２０３の下側先端には下側凸部２０３ｂが設けられ、基部側歯部２０４の上面には凹部が設けられ、これらが嵌合することによって、シャフト２０２、すなわち、保持部２が回転不可に固定される。
【００３４】
また、図４に示す回転用レバー２０１（操作レバー）は、保持部２、すなわち、電子機器４を回転する際に、操作者（オペレーター）が操作する部分である。
【００３５】
図５は、回転機構２００の断面図である。図５は、シャフト２０２に垂直な面で切った断面図である。図５に示すように、上述した保持部側歯部２０３の上端部には、両サイドに上側凸部がある。また、保持部側歯部２０３の両サイドには、歯部用バネ２０７が取り付けられており、こられのバネ力により保持部側歯部２０３は上側（図５の矢印Ｃの方向）に常に付勢されている。また、保持部側歯部２０３には、中央に移動穴２０３ｃが設けられており、基部３に固定された上下２つのポール２０８に沿って、保持部側歯部２０３の上下動（図５の矢印Ｃ及びＤの方向への移動）がなされる。
【００３６】
上述した回転用レバー２０１は、図５に示されるように、レバー側押え部材２０５が連結している。操作者（オペレーター）の回転用レバー２０１を押し込む操作に従って、回転用レバー２０１が保持部側歯部２０３に近づく方向（図５の矢印Ａの方向）に移動すると、レバー側押え部材２０５もその移動に伴って同方向に移動する。また、レバー側押え部材２０５にはレバー用バネ２０６が取り付けられており、回転用レバー２０１及びレバー側押え部材２０５を、保持部側歯部２０３から遠ざかる方向（図５の矢印Ｂの方向）に、常に付勢している。
【００３７】
回転用レバー２０１が操作されていない状態では、図５に示されるように、レバー側押え部材２０５の２つの凸部２０５ａが、それぞれ、保持部側歯部２０３の上側凸部２０３ａと当接し、レバー側押え部材２０５が、保持部側歯部２０３を歯部用バネ２０７のバネ力に反して下方向（図５の矢印Ｄの方向）へ押し下げている。この状態では、保持部側歯部２０３の下側凸部２０３ｂが、基部側歯部２０４の凹部に嵌合し、シャフト２０２、すなわち、保持部２及び電子機器４が回転不可に固定される。
【００３８】
一方、回転用レバー２０１が操作されて押し込まれている状態では（図５の矢印Ａの方向へ移動している状態では）、上述した凸部２０５ａと上側凸部２０３ａの当接がはずれ、各上側凸部２０３ａの位置に、それぞれ、レバー側押え部材２０５の凹部２０５ｂが来るので、保持部側歯部２０３が歯部用バネ２０７のバネ力によって上昇し（図５の矢印Ｃの方向に移動し）、上述した下側凸部２０３ｂと基部側歯部２０４の凹部との嵌合がはずれ、シャフト２０２、すなわち、保持部２及び電子機器４が回転可能となる。
【００３９】
このような原理により、保持部２及び電子機器４の回転と所定位置での固定ができる。本実施の形態例では、４つの回転位置（回転角度）で保持部２及び電子機器４を固定することができる。具体的には、オペレーターが電子機器の表示画面４ａを見る側（操作する側、第１の側）で３つの位置、カスタマーが表示画面４ａを見る側（操作する側、第２の側）で１つの位置、で固定することができる。
【００４０】
図６は、第１の位置で固定された保持部２の側面図である。第１の位置は、表示画面４ａがオペレーター側（図６の矢印Ｅの方向）を向く回転位置であり、図６に示すように、設置面と保持板２３５が４５°をなす位置である。
【００４１】
図７は、第１の位置で固定された保持部２の断面図である。図７に示す状態では、第１の位置で保持部２が固定されているので、上述の通り、回転用レバー２０１は、保持部側歯部２０３から遠ざかる方向（図７の矢印Ｂの方向）に移動している。そして、レバー側押え部材２０５の凸部２０５ａが保持部側歯部２０３の上側凸部２０３ａと当接し、レバー側押え部材２０５が下方向（図７の矢印Ｄの方向）へ押し下げられて、保持部側歯部２０３の下側凸部２０３ｂが基部側歯部２０４の凹部に嵌合している。この第１の位置では、下側凸部２０３ｂは、図７において一番左側の凹部２０４ａから嵌合している。
【００４２】
図８は、第１の位置で回転用レバー２０１が操作された状態の保持部２の断面図である。上述の通り、回転用レバー２０１が操作されて押し込まれると（図８の矢印Ａの方向へ移動すると）、凸部２０５ａと上側凸部２０３ａの当接がはずれ、保持部側歯部２０３が上昇し（図８の矢印Ｃの方向に移動し）、下側凸部２０３ｂと基部側歯部２０４の凹部との嵌合がはずれ、保持部２が回転可能となる。従って、オペレーターは、保持部２を回転させて、所望の回転位置で回転用レバー２０１から手を放すことにより、位置を変更することが可能である。
【００４３】
図９は、第２の位置で固定された保持部２の側面図である。第２の位置は、表示画面４ａがオペレーター側（図９の矢印Ｅの方向）を向く回転位置であり、図９に示すように、設置面と保持板２３５が３８°をなす位置である。
【００４４】
図１０は、第２の位置で固定された保持部２の断面図である。図１０に示す状態では、第２の位置で保持部２が固定されているので、上述の通り、回転用レバー２０１は、保持部側歯部２０３から遠ざかる方向（図１０の矢印Ｂの方向）に移動している。そして、レバー側押え部材２０５の凸部２０５ａが保持部側歯部２０３の上側凸部２０３ａと当接し、レバー側押え部材２０５が下方向（図１０の矢印Ｄの方向）へ押し下げられて、保持部側歯部２０３の下側凸部２０３ｂが基部側歯部２０４の凹部に嵌合している。この第２の位置では、下側凸部２０３ｂは、図１０において左側から２番目の凹部２０４ｂから嵌合している。
【００４５】
図１１は、第３の位置で固定された保持部２の側面図である。第３の位置は、表示画面４ａがオペレーター側（図１１の矢印Ｅの方向）を向く回転位置であり、図１１に示すように、設置面と保持板２３５が３１°をなす位置である。
【００４６】
図１２は、第３の位置で固定された保持部２の断面図である。図１２に示す状態では、第３の位置で保持部２が固定されているので、上述の通り、回転用レバー２０１は、保持部側歯部２０３から遠ざかる方向（図１２の矢印Ｂの方向）に移動している。そして、レバー側押え部材２０５の凸部２０５ａが保持部側歯部２０３の上側凸部２０３ａと当接し、レバー側押え部材２０５が下方向（図１２の矢印Ｄの方向）へ押し下げられて、保持部側歯部２０３の下側凸部２０３ｂが基部側歯部２０４の凹部に嵌合している。この第３の位置では、下側凸部２０３ｂは、図１２において左側から３番目の凹部２０４ｃから嵌合している。
【００４７】
図１３は、第３の位置から第４の位置へ移動中の保持部２の断面図である。図１３に示す状態は、回転中なので、上述の通り、回転用レバー２０１が押し込まれており（図１３の矢印Ａの方向へ移動しており）、凸部２０５ａと上側凸部２０３ａの当接がはずれ、保持部側歯部２０３が上昇し（図１３の矢印Ｃの方向に移動し）、下側凸部２０３ｂと基部側歯部２０４の凹部との嵌合がはずれている。
【００４８】
図１４は、第４の位置で固定された保持部２の側面図である。第４の位置は、表示画面４ａがカスタマー側（図１４の矢印Ｆの方向）を向く回転位置であり、図１４に示すように、設置面と保持板２３５が３２°をなす位置である。
【００４９】
図１５は、第４の位置で固定された保持部２の断面図である。図１５に示す状態では、第４の位置で保持部２が固定されているので、上述の通り、回転用レバー２０１は、保持部側歯部２０３から遠ざかる方向（図１５の矢印Ｂの方向）に移動している。そして、レバー側押え部材２０５の凸部２０５ａが保持部側歯部２０３の上側凸部２０３ａと当接し、レバー側押え部材２０５が下方向（図１５の矢印Ｄの方向）へ押し下げられて、保持部側歯部２０３の下側凸部２０３ｂが基部側歯部２０４の凹部に嵌合している。この第４の位置では、下側凸部２０３ｂは、図１５において右側から４番目の凹部２０４ｄから嵌合している。
【００５０】
なお、上記実施の形態例では、保持部２が４つの異なる位置で固定される態様であったが、保持部２が固定される位置の数及び角度は、当該態様と異なるものであってもよい。また、上記実施の形態例では、保持部２が固定される位置の数がオペレーター側とカスタマー側で異なっていたが、保持部２が固定される位置の数がオペレーター側とカスタマー側で同じであってもよい。後者の場合、例えば、表示画面４ａがオペレーター側を向く１つの回転位置と、表示画面４ａがカスタマー側を向く１つの回転位置で固定する態様にしてもよい。この場合、具体的には、一例として、オペレーター側及びカスタマー側で、設置面と保持板２３５がなす角度を４５°とすることができる。
【００５１】
以上説明したように、本電子機器保持スタンド１の回転機構２００では、設置面と水平な回転軸で保持した電子機器４を回転させるので、スペースを取らずに、電子機器４の表示画面４ａをオペレーター側とカスタマー側に切り換ることができる。
【００５２】
また、その回転は概ね無負荷の状態で行われるので、オペレーターは力をかけずに素早く電子機器４の向きを変えることができる。
【００５３】
また、所望の回転位置にした場合に、歯の嵌合により保持部２が固定されるので、電子機器４が確実に固定され、オペレーターやカスタマーの表示画面４ａ上への操作がしやすい。
【００５４】
また、複数の回転位置で電子機器４を固定できるので、利便性が高い。
【００５５】
なお、保持部２の回転操作を安定して行えるようにするために、シャフト２０２に軽い負荷のロータリーダンパーを設けてもよい。
【００５６】
［第２の実施の形態例］
図１６は、本発明を適用した電子機器保持スタンドの第２の実施の形態例に係る斜視図である。図２に示す本実施の形態例に係る電子機器保持スタンド１Ａは、第１の実施の形態例に係る電子機器保持スタンド１と同様に、電子機器４Ａを保持する保持部２Ａと保持部２Ａを支持する基部３Ａを有し、保持部２Ａが電子機器保持スタンド１Ａ（基部３Ａ）の設置面に水平（平行）な軸の周りに無負荷で回転でき、所定の複数の回転位置で歯部の嵌合により固定できる回転機構２００Ａを備える。更に、上記歯部の嵌合による固定の状態で、嵌合する歯部同士を確実に当接させる機構を備える。これらの特徴により、本電子機器保持スタンド１Ａでは、保持した電子機器４Ａを狭いスペースで、力をかけずに回転でき、かつ、ガタつくことなく確実に固定することができる。
【００５７】
第２の実施形態例に係る電子機器保持スタンド１Ａは、第１の実施形態例に係る電子機器保持スタンド１と同様の使われ方をし、各部の寸法、及び、以下に説明する回転機構２００Ａの細部（電子機器４Ａへの操作時のガタつきを抑える機構）以外は、第１の実施形態例に係る電子機器保持スタンド１と同様の構成を備える。従って、以下、本電子機器保持スタンド１Ａが備える回転機構２００Ａの、第１の実施形態例に係る電子機器保持スタンド１の回転機構２００との相違点について説明する。
【００５８】
図１７及び図１８は、本電子機器保持スタンド１Ａの電子機器４Ａを保持していない状態での斜視図である。電子機器保持スタンド１Ａは、電子機器４Ａを所定の向きて固定して保持する保持部２Ａと、保持部２Ａを支持する基部３Ａとを備える。
【００５９】
保持部２Ａは、電子機器４Ａを支持する保持板２３５Ａのほか、電子機器４Ａを回転させるための回転機構２００Ａ、電子機器４Ａを固定するためのスライダー、下側アーム、緩衝材等、及び、電子機器４へ電力を供給するケーブル用の貫通孔等、を備える。
【００６０】
第１の実施の形態例における電子機器保持スタンド１では、上述した回転機構２００の保持部側歯部２０３と基部側歯部２０４との嵌合に関し、設計上の許容誤差（公差）Ｇａがある。
【００６１】
図１９は、その公差を例示した図である。図１９は、保持部側歯部２０３の下側凸部２０３ｂが基部側歯部２０４の凹部に嵌合している部分を拡大して示している。図示されるように、保持部側歯部２０３と基部側歯部２０４との嵌合状態において、上記公差Ｇａがある。
【００６２】
このような公差Ｇａがあると、操作者が保持部２に固定される電子機器４を押す（表示画面に接触する）操作を行った際に、保持部側歯部２０３の下側凸部２０３ｂの側面が、基部側歯部２０４の凹部の側面に接触するまで、保持部２が回転移動できるので、電子機器４が公差Ｇａ分だけ回転移動してしまうことが実験によりわかっている。すなわち、電子機器４への操作時に、電子機器４がガタつくことがわかっている。
【００６３】
そこで、本電子機器保持スタンド１Ａは、このガタつきをなくすために、保持部側歯部２０３Ａと基部側歯部２０４Ａとの嵌合状態において、保持部側歯部２０３Ａの下側凸部２０３ｂＡが、基部側歯部２０４Ａの凹部に確実に当接（接触）する機構を備える。この点が、第１の実施の形態例における電子機器保持スタンド１の回転機構２００との相違点であり、当該機構として以下に説明する３つの構成を備える。
【００６４】
その一つ目の構成では、レバー側押え部材２０５Ａ（押え部材）の凸部２０５ａＡと保持部側歯部２０３Ａの上側凸部２０３ａＡとの当接面（接触面）が、レバー側押え部材２０５Ａによって保持部側歯部２０３Ａを押し込む方向（保持部側歯部２０３Ａと基部側歯部２０４Ａとが嵌合する方向、図７の矢印Ｄの方向（以下、嵌合方向））に対して傾斜しており、さらに、レバー側押え部材２０５Ａと保持部側歯部２０３Ａの嵌合方向の寸法を、公差を考慮しても、嵌合時において、保持部側歯部２０３Ａの下側凸部２０３ｂＡが基部側歯部２０４Ａの凹部に当接（接触）できる寸法としている。
【００６５】
図２０は、本電子機器保持スタンド１Ａの側面断面図である。図２１は、レバー側押え部材２０５Ａと保持部側歯部２０３Ａの当接部を示した図である。そして、図２１は、図２０におけるＸの部分の拡大図である。
【００６６】
第１の実施の形態例におけるレバー側押え部材２０５と保持部側歯部２０３の当接面は、嵌合方向に対して概ね垂直であったが、本電子機器保持スタンド１Ａでは、図２１に示すように、その垂直方向に対して角度を有している。また、レバー側押え部材２０５Ａと保持部側歯部２０３Ａの嵌合方向の寸法が、保持部側歯部２０３Ａと基部側歯部２０４Ａとの嵌合状態において、上記寸法の実際の値が公差内であれば、保持部側歯部２０３Ａの下側凸部２０３ｂＡが基部側歯部２０４Ａの凹部に必ず当接（接触）するように、図２１に示すように、レバー側押え部材２０５Ａの凸部２０５ａＡと保持部側歯部２０３Ａの上側凸部２０３ａＡとがオーバーラップする寸法となっている。
【００６７】
従って、この構成では、レバー側押え部材２０５Ａと保持部側歯部２０３Ａの嵌合方向の実際の寸法が公差内であれば、保持部側歯部２０３Ａと基部側歯部２０４Ａとの嵌合状態において、保持部側歯部２０３Ａの下側凸部２０３ｂＡが基部側歯部２０４Ａの凹部に必ず当接（接触）し、レバー側押え部材２０５Ａと保持部側歯部２０３Ａの当接面が傾斜しているので、保持部側歯部２０３Ａと基部側歯部２０４Ａとが噛み込むことなく、上記実際の寸法に応じてレバー側押え部材２０５Ａが嵌合方向に垂直な方向に移動する。
【００６８】
図２２は、上記移動後の状態を例示した図である。このように、当該構成によれば、保持部側歯部２０３Ａの下側凸部２０３ｂＡと基部側歯部２０４Ａの凹部が必ず当接（接触）し、電子機器４Ａへの操作時に電子機器４の移動できる量が極めて少なくなるので、当該操作時のガタつきを抑えることができる。
【００６９】
次に、二つ目の構成では、保持部２Ａの背面に弾性部材２４０Ａを設ける。当該弾性部材２４０Ａは、保持部側歯部２０３Ａと基部側歯部２０４Ａとの嵌合状態において、保持部２Ａに回転モーメントを与え、保持部側歯部２０３Ａの下側凸部２０３ｂＡの側面が、基部側歯部２０４Ａの凹部の側面に当接（接触）するように設けられる。
【００７０】
図２３は、弾性部材２４０Ａを説明するための図である。図２３の（Ａ）は、本電子機器保持スタンド１Ａの側面断面図であり、Ｙで示す部分に弾性部材２４０Ａが設けられる。すなわち、弾性部材２４０Ａは、保持部側歯部２０３Ａと基部側歯部２０４Ａとの嵌合状態において、保持部２Ａと基部３Ａに挟まれる位置に設けられる。
【００７１】
図２３の（Ｂ）は、図２３の（Ａ）のＹで示す部分の拡大図である。図２３の（Ｂ）に示すように、弾性部材２４０Ａは、保持部２Ａの背面に取り付けられ、保持部側歯部２０３Ａと基部側歯部２０４Ａとの嵌合状態において、基部３Ａ側にオーバーラップする寸法となっている。
【００７２】
保持部２Ａを回転機構２００Ａによって回転させ、保持部側歯部２０３Ａと基部側歯部２０４Ａとを嵌合させる際、上述のような寸法の弾性部材２４０Ａは、基部３Ａとの間に挟まれて若干縮み、それにより、保持部側歯部２０３Ａと基部側歯部２０４Ａが所定の位置で嵌合する。
【００７３】
上記嵌合の後、弾性部材２４０Ａは、元の寸法に戻ろうとして、保持部２Ａを基部３Ａと反対の方向へ押し上げる。これにより、保持部２Ａは、シャフト２０２Ａ（図示せず）の周りに若干回転し、当該回転により、保持部側歯部２０３Ａの下側凸部２０３ｂＡの側面が、基部側歯部２０４Ａの凹部の側面に当接（接触）する。
【００７４】
図２４は、その状態の弾性部材２４０Ａを例示した図である。この状態では、弾性部材２４０Ａの元の寸法へ戻ろうとする力が、保持部２Ａに対してシャフト２０２Ａを回転中心とした回転モーメントを与えている。
【００７５】
図２５は、本電子機器保持スタンド１Ａの側面断面図である。図２６は、図２５のＺで示す部分の拡大図である。図２５、図２６は、上記弾性部材２４０Ａによる回転モーメントが働いている状態を示している。この状態では、上述の通り、保持部側歯部２０３Ａの下側凸部２０３ｂＡの側面が、基部側歯部２０４Ａの凹部２０４ａＡの側面に当接（接触）している（図２６のＡＡ部等）。そして、上記回転モーメントにより、下側凸部２０３ｂＡの側面が凹部２０４ａＡの側面に押し付けられた状態である。
【００７６】
このように、二つ目の構成では、保持部側歯部２０３Ａと基部側歯部２０４Ａとの嵌合時に、弾性部材２４０Ａによる回転モーメントによって、下側凸部２０３ｂＡの側面が凹部２０４ａＡの側面に押し付けられるので、電子機器４Ａへの操作で、容易には保持部２Ａが動かず、上述した操作時のガタつきをなくすことができる。
【００７７】
なお、弾性部材２４０Ａは、保持部２Ａの反対側の背面（図２５のＸＸで示す位置）にも設けるようにすることが望ましい。このもう一つの弾性部材２４０Ａは、保持部２Ａの異なる回転位置において、同様の機能を果たす。
【００７８】
また、当該二つ目の構成は、上記一つ目の構成と共に設けてもよいし、上記一つ目の構成を設けずに単独で設けてもよい。
【００７９】
次に、３つ目の構成は、上記一つ目の構成において、更に、保持部側歯部の下側凸部の形状を変えたものである。具体的には、保持部側歯部の下側凸部と基部側歯部の凹部との当接時に、下側凸部の側面と凹部の側面が当たる形状とする。
【００８０】
図２７は、保持部側歯部２０３Ｂと基部側歯部２０４Ｂの当接部を示す図である。図２７に示す例では、保持部側歯部２０３Ｂの下側凸部２０３ｂＢが独楽状の形状をしており、保持部側歯部２０３Ｂの下側凸部２０３ｂＢが嵌合方向に基部側歯部２０４Ｂの凹部２０４ａＢ近づいた際に、下側凸部２０３ｂＢの山（先端部）や谷（基部）よりも先に側面が凹部２０４ａＢの側面に接する（当接する）（図２７のＢＢ）。
【００８１】
これにより、保持部側歯部２０３Ｂと基部側歯部２０４Ｂの嵌合時には上記一つ目の構成によって必ず下側凸部２０３ｂＢと凹部２０４ａＢが接触するので、下側凸部２０３ｂＢの両側面が隙間なく凹部２０４ａＢの側面に接し、電子機器４Ａへの操作時にガタつきを起こさない。
【００８２】
なお、図２７に示す下側凸部２０３ｂＢの形状は一例であり、同様の機能を果たす形状であれば他の形状であってもよい。
【００８３】
以上説明したように、第２の実施の形態例に係る電子機器保持スタンド１Ａでは、電子機器４Ａを保持した保持部２Ａが所定の回転角度で固定されている状態で、嵌合する歯部同士を必ず当接させる機構を備えるので、電子機器４Ａに対する操作時のガタつきを抑えることができる。
【００８４】
上記当接させる機構として、保持部側歯部２０３Ｂを基部側歯部２０４Ｂとの嵌合方向へ十分に押し込める構成としたので、嵌合する歯部同士を必ず当接させることができる。
【００８５】
また、その場合において、保持部側歯部２０３Ｂの歯形状を図２７に示すような形状とすることにより、嵌合する歯部の側面同士を必ず当接させることができ、上記ガタつきを確実に防ぐことができる。
【００８６】
また、上記当接させる機構として、上述した弾性部材２４０Ａを用いることにより、やはり、嵌合する歯部の側面同士を必ず当接させることができ、上記ガタつきを確実に防ぐことができる。
【００８７】
本発明の保護範囲は、上記の実施の形態に限定されず、特許請求の範囲に記載された発明とその均等物に及ぶものである。
【符号の説明】
【００８８】
１、１Ａ…電子機器保持スタンド、２、２Ａ…保持部、３、３Ａ…基部、２００、２００Ａ…回転機構、２０３、２０３Ａ…保持部側歯部、２０４、２０４Ａ…基部側歯部、２０５、２０５Ａ…レバー側押え部材、２４０Ａ…弾性部材
【図１】
0006634830.tif 000002
【図２】
0006634830.tif 000003
【図３】
0006634830.tif 000004
【図４】
0006634830.tif 000005
【図５】
0006634830.tif 000006
【図６】
0006634830.tif 000007
【図７】
0006634830.tif 000008
【図８】
0006634830.tif 000009
【図９】
0006634830.tif 000010
【図１０】
0006634830.tif 000011
【図１１】
0006634830.tif 000012
【図１２】
0006634830.tif 000013
【図１３】
0006634830.tif 000014
【図１４】
0006634830.tif 000015
【図１５】
0006634830.tif 000016
【図１６】
0006634830.tif 000017
【図１７】
0006634830.tif 000018
【図１８】
0006634830.tif 000019
【図１９】
0006634830.tif 000020
【図２０】
0006634830.tif 000021
【図２１】
0006634830.tif 000022
【図２２】
0006634830.tif 000023
【図２３】
0006634830.tif 000024
【図２４】
0006634830.tif 000025
【図２５】
0006634830.tif 000026
【図２６】
0006634830.tif 000027
【図２７】
0006634830.tif 000028